【手続補正書】
【提出日】平成20年10月7日(2008.10.7)
【手続補正１】
【補正対象書類名】特許請求の範囲
【補正対象項目名】全文
【補正方法】変更
【補正の内容】
【特許請求の範囲】
【請求項１】
２つの主表面と、外周端面及び内周端面と、前記２つの主表面と前記外周端面とを連接する２つの第１の面取り面と、前記２つの主表面と前記内周端面とを連接する２つの第２の面取り面を有するドーナツ状の磁気記録媒体用ガラス基板であって、
前記第１及び第２の面取り面は、すべての面取り面において、互いに連接する錐面部及び環状曲面部から成り、前記ガラス基板の中心軸を含む前記ガラス基板の断面における前記面取り面の外形線の長さに対する前記環状曲面部の外形線の長さの百分率比が３０％以上であり、
前記面取り面と前記主表面とが成す角度が１３６〜１６５°であること
を特徴とする磁気記録媒体用ガラス基板。
【請求項２】
前記百分率比が５０％以上であることを特徴とする請求項１記載の磁気記録媒体用ガラス基板。
【請求項３】
前記環状曲面部の外形線の曲率半径が０．２０〜０．３５ｍｍであることを特徴とする請求項１又は２記載の磁気記録媒体用ガラス基板。
【請求項４】
前記面取り面と前記主表面とが成す角度が１４０〜１５５°であることを特徴とする請求項１乃至３のいずれか１項に記載の磁気記録媒体用ガラス基板。
【請求項５】
ガラス基板の表面層中のアルカリ成分をイオン半径がより大きいものに置き換える化学強化処理が施されていることを特徴とする請求項１乃至４のいずれか１項に記載の磁気記録媒体用ガラス基板。
【請求項６】
２つの主表面と、外周端面及び内周端面と、前記２つの主表面と前記外周端面とを連接する２つの第１の面取り面と、前記２つの主表面と前記内周端面とを連接する２つの第２の面取り面を有するドーナツ状の磁気記録媒体用ガラス基板の製造方法において、
前記第１及び第２の面取り面の全てにおいて、面取り加工工程が終了した後、前記主表面を５μｍ以上研磨する主表面研磨工程と、前記外周端面及び前記内周端面を５μｍ以上研磨する端面研磨工程とを有することを特徴とする磁気記録媒体用ガラス基板の製造方法。
【請求項７】
前記ガラス基板は、母ガラスがアルカリ酸化物成分としてＬｉ２Ｏ及びＮａ２Ｏのいずれか一方を含有するシリケートガラスから成り、前記製造方法は、前記主表面研磨工程後、前記主表面の表面層のアルカリ成分を前記アルカリ酸化物成分より大きなイオン半径を有するアルカリ成分に置換する化学強化処理工程を有することを特徴とする請求項６記載の磁気記録媒体用ガラス基板の製造方法。
【手続補正２】
【補正対象書類名】明細書
【補正対象項目名】００１０
【補正方法】変更
【補正の内容】
【００１０】
上記目的を達成するために、請求項１記載の磁気記録媒体用ガラス基板は、２つの主表面と、外周端面及び内周端面と、前記２つの主表面と前記外周端面とを連接する２つの第１の面取り面と、前記２つの主表面と前記内周端面とを連接する２つの第２の面取り面を有するドーナツ状の磁気記録媒体用ガラス基板であって、前記第１及び第２の面取り面は、すべての面取り面において、互いに連接する錐面部及び環状曲面部から成り、前記ガラス基板の中心軸を含む前記ガラス基板の断面における前記面取り面の外形線の長さに対する前記環状曲面部の外形線の長さの百分率比が３０％以上であり、前記面取り面と前記主表面とが成す角度が１３６〜１６５°であることを特徴とする。
【手続補正３】
【補正対象書類名】明細書
【補正対象項目名】００１２
【補正方法】変更
【補正の内容】
【００１２】
請求項３記載のガラス基板は、請求項１又は２記載のガラス基板において、前記環状曲面部の外形線の曲率半径が０．２０〜０．３５ｍｍであることを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
請求項４記載のガラス基板は、請求項１乃至３のいずれか１項に記載のガラス基板において、前記面取り面と主表面とが成す角度が１４０〜１５５°であることを特徴とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
請求項５記載のガラス基板は、請求項１乃至４のいずれか１項に記載のガラス基板において、ガラス基板の表面層中のアルカリ成分をイオン半径がより大きいものに置き換える化学強化処理が施されていることを特徴とする。
【手続補正８】
【補正対象書類名】明細書
【補正対象項目名】００１７
【補正方法】変更
【補正の内容】
【００１７】
上記目的を達成するために、請求項６記載の磁気記録媒体用ガラス基板の製造方法は、２つの主表面と、外周端面及び内周端面と、前記２つの主表面と前記外周端面とを連接する２つの第１の面取り面と、前記２つの主表面と前記内周端面とを連接する２つの第２の面取り面を有するドーナツ状の磁気記録媒体用ガラス基板の製造方法において、前記第１及び第２の面取り面の全てにおいて面取り加工工程が終了した後、前記主表面を５μｍ以上研磨する主表面研磨工程と、前記外周端面及び前記内周端面を５μｍ以上研磨する端面研磨工程とを有することを特徴とする。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
請求項７記載の製造方法は、請求項６記載の製造方法において、前記ガラス基板は、母ガラスがアルカリ酸化物成分としてＬｉ２Ｏ及びＮａ２Ｏのいずれか一方を含有するシリケートガラスから成り、前記製造方法は、前記主表面研磨工程後、前記主表面の表面層のアルカリ成分を前記アルカリ酸化物成分より大きなイオン半径を有するアルカリ成分に置換する化学強化処理工程を有することを特徴とする。
【手続補正１１】
【補正対象書類名】明細書
【補正対象項目名】００２０
【補正方法】変更
【補正の内容】
【００２０】
請求項１記載のガラス基板によれば、面取り面は、すべての面取り面において互いに連接する錐面部及び環状曲面部かならり、ガラス基板の中心軸を含むガラス基板の断面における面取り面の外形線の長さに対する環状曲面部の外形線の長さの百分率比が３０％以上であり、面取り面と主表面とが成す角度が１３６〜１６５°であるので、機械的衝撃又は熱衝撃によって外周端面及び内周端面の一方と面取り面との境界部に発生する応力を分散することができ、もって磁気記録媒体の破損を防止することができる。また、研削砥石による面取り面加工時にガラス基板の振れを防止し、面取り面の幅の狭隘化を阻止して面取り面に発生する応力を分散すると共に、未研削部の発生を防止して面取り面から微小クラックを除去することができ、加えて、主表面と面取り面との境界部でのチッピングの発生を防止して、チッピング除去のための研磨加工における研磨量を削減し、もって製造コストを削減することができる。
【手続補正１２】
【補正対象書類名】明細書
【補正対象項目名】００２２
【補正方法】変更
【補正の内容】
【００２２】
請求項３記載のガラス基板によれば、環状曲面部の外形線の曲率半径が０．２０〜０．３５ｍｍであるので、環状曲面部を加工する研削砥石の曲率半径の下限の増大により研削砥石面の砥粒を均一に付着させることができ、もって砥粒の付着力の強化により研削砥石の交換寿命を長くすることができるのに加えて、上記曲率半径の上限の低減により錐面部と環状曲面部との境界部が不連続になるのを防止することができ、もって錐面部と環状曲面部との境界部に発生する応力を分散することができ、磁気ディスクの破損をより確実に防止することができる。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】変更
【補正の内容】
【００２４】
請求項４記載のガラス基板によれば、面取り面と主表面とが成す角度が１４０〜１５５°であるので、請求項１乃至３のいずれか１項に記載のガラス基板による効果を確実に奏することができる。
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】変更
【補正の内容】
【００２６】
請求項５記載のガラス基板によれば、ガラス基板の表面層中のアルカリ成分をイオン半径がより大きいものに置き換える化学強化処理が施されているので、ガラス基板の強度を向上させることができる。
【手続補正１７】
【補正対象書類名】明細書
【補正対象項目名】００２７
【補正方法】変更
【補正の内容】
【００２７】
請求項６記載の磁気記録媒体用ガラス基板の製造方法によれば、２つの第１の面取り面及び２つの第２の面取り面の全てにおいて面取り加工工程が終了した後、前記主表面を５μｍ以上研磨する主表面研磨工程と、前記外周端面及び前記内周端面を５μｍ以上研磨する端面研磨工程とを有するので、機械的衝撃又は熱衝撃によって外周端面及び内周端面の一方と面取り面との境界部に発生する応力を分散することができ、もって磁気記録媒体の破損を防止することができる。また、微小クラックを確実に除去することができ、もって磁気ディスクの破損を確実に防止することができる。
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】変更
【補正の内容】
【００２９】
請求項７記載の製造方法によれば、母ガラスがアルカリ酸化物成分としてＬｉ２Ｏ及びＮａ２Ｏのいずれか一方を含有するシリケートガラスから成るガラス基板の主表面における表面層のアルカリ成分をアルカリ酸化物成分より大きなイオン半径を有するアルカリ成分に置換するので、ガラス基板の強度を向上させることができる。